(57)【要約】【課題】棚部を跳ね上げ可能なパイプ構造物を提供する。【解決手段】背面に背面支柱４、４を備え、背面支柱はベース棚部１０の高さ位置を背面側梁材１４で連結され、この背面側梁材へ背面側端部を上下方向への回転が可能に連結したベース棚部の腕部材１１、１１と、腕部材へ上下方向の回転が可能に取り付けられた前面支柱１２、１２と、前面支柱の上端部間を連結した前面梁材１３とでベース棚部１０の骨組みが形成され、前記背面支柱においてベース棚部１０より上方の上段棚部２０の高さ位置が背面側梁材２４で連結され、この背面側梁材へ背面側端部を上下方向への回転が可能に連結した上段棚部の腕部材２１、２１と、腕部材の前端部と前記ベース棚部１０の対応する腕部材とをそれぞれ上下方向への回転が可能に連結した上段の前面支柱２２と、上段棚部の前面支柱の上端同士を連結した上段の前面梁材２３とで上段棚部２０の骨組みが形成される。【選択図】図１
2009225937.tif 000002
【特許請求の範囲】
【請求項１】
パイプを継手により連結して組み立てられ、通路等の壁又は同壁を構成する縦部材へ背面支柱を固定して使用されるパイプ構造物であって、
背面に通路等の壁又は同壁を構成する縦部材へ固定される左右の背面支柱を備え、
前記左右の背面支柱はベース棚部の高さ位置を背面側梁材で連結され、この背面側梁材へ背面側端部を上下方向への回転が可能に連結して前方へほぼ水平に突き出されたベース棚部の腕部材と、前記左右の腕部材の前端部へ上下方向の回転が可能に取り付けられた左右の前面支柱と、前記左右の前面支柱の上端部間を連結した前面梁材とでベース棚部の骨組みが形成され、
前記背面支柱において前記ベース棚部より上方の上段棚部の高さ位置が背面側梁材で連結され、この背面側梁材へ背面側端部を上下方向への回転が可能に連結して前方へほぼ水平に突き出された上段棚部の腕部材と、上段棚部の前記左右の腕部材の前端部と前記ベース棚部の対応する腕部材とをそれぞれ上下方向への回転が可能に連結した上段の前面支柱と、前記上段棚部の前面支柱の上端同士を連結した上段の前面梁材とで上段棚部の骨組みが形成されていることを特徴とする、棚部を跳ね上げ可能なパイプ構造物。
【請求項２】
上段棚部の上に更に必要数の棚部が多段に、前記上段棚部の構成を順次に繰り返して設けられていること、
即ち、背面支柱において前記上段棚部より上方の次上段棚部の高さ位置が背面側梁材で連結され、この背面側梁材へ背面側端部を上下方向への回転が可能に連結して前方へほぼ水平に突き出された次上段棚部の腕部材と、前記次上段棚部の腕部材の前端部と前記上段棚部の対応する腕部材とをそれぞれ上下方向への回転が可能に連結した次上段棚部の前面支柱と、前記次上段棚部の前面支柱の上端同士を連結した次上段棚部の前面梁材とで次上段棚部の骨組みが形成されていることを特徴とする、請求項１に記載した棚部を跳ね上げ可能なパイプ構造物。
【請求項３】
ベース棚部の前面支柱の下端部と、背面支柱の下端から前方へほぼ水平に突き出された補強用腕部材の前端とは中折れ型の回転継手で、背面支柱に対して直交する配置に連結され、この補強用腕部材の背面側端部と背面支柱とは背面支柱の側面にピン軸で止めたＬ型の回転継手で同じく直交する配置に連結され、ベース棚部の腕部材および上段棚部の腕部材の前端部は前面支柱より内側に位置させた継手で前面梁部材へ直交する配置に連結され、同ベース棚部の腕部材および上段棚部の腕部材の背面側端部はそれぞれ左右の背面支柱間に連結した背面側梁材と同背面支柱より内側に位置させたＴ型の回転継手で直交する配置に連結されていることを特徴とする、請求項１に記載した棚部を跳ね上げ可能なパイプ構造物。
【請求項４】
跳ね上げら折り畳まれたベース棚部と上段棚部および次上段棚部はそれぞれ、ベース棚部の前面支柱と背面支柱とを繋ぐロック部材により跳ね上げ状態を拘束されることを特徴とする、請求項１〜３のいずれか一に記載した棚部を跳ね上げ可能なパイプ構造物。
【発明の詳細な説明】
【技術分野】
【０００１】
この発明は、パイプを継手により連結して組み立てられ、通路等の壁又は同壁を構成する縦部材へ背面支柱を固定して設置し、棚や物置台等として使用されるパイプ構造物であって、非使用時には最下段のベース棚部はもとより、その上方に位置する複数段の棚部をそれぞれ跳ね上げて壁際に沿って平たく折り畳まれ、その跳ね上げ状態（折り畳み状態）をきっちり拘束して人や荷物の通行に邪魔にならない構成にできる、棚部を跳ね上げ可能なパイプ構造物の技術分野に属する。
【背景技術】
【０００２】
従来、上下方向に複数段に連なる棚部を折り畳み可能に構成した「収納棚構造」は、下記の特許文献１に開示されている。
もっとも、この「収納棚構造」は、最下段の棚である「固定フレーム」が不動の構成であり、二段目以上の棚が個別に収納可能な構成とされている。従って、最下段の「固定フレーム」の上に荷物を載せる際には二段目以上の棚を折り畳み、また、二段目の棚へ荷物を載せる際には同二段目以上の棚を折り畳み、もって、荷物の出し入れ作業を上下方向の動線で行うことを可能ならしめて、荷物の出し入れ作業のやり難さを解決する目的の技術思想と認められる。
【０００３】
【特許文献１】特開平７−１８４７２４号公報
【発明の開示】
【発明が解決しようとする課題】
【０００４】
上記特許文献１に開示された「収納棚構造」は、上下方向に複数段に連なる棚部を折り畳み可能に構成した点を注目できる。しかし、最下段の棚でもある「固定フレーム」は不動の構成で折り畳めず、跳ね上げ不能であるから、非使用時に二段目以上の棚を折り畳んで収納させたとしても「固定フレーム」の出っ張り状態は相変わらずで、常に床上をその大きさで占拠することになり、完全な折り畳み構造ではない。そのため、この「収納棚構造」を人や荷物が往来する通路等の壁際に沿って設置した場合には、「固定フレーム」の出っ張り状態が人や荷物の通行に甚だ邪魔な存在になってしまう。しかも「固定フレーム」の構成は、その前縁からは一歩たりとも内側へ台車や物が侵入することを許さない構造であるから、甚だ使い勝手が悪いという欠点が認められる。
【０００５】
従って、本発明の目的は、非使用時には最下段のベース棚部はもとより、その上方に位置する複数段の棚部を全て一連に、それぞれ簡単な操作で一斉に跳ね上げて壁際に沿って平たく折り畳むことができ、且つその折り畳み状態はきっちり拘束、保持して人や荷物の通行に邪魔にならない構成にできる、棚部を跳ね上げ可能なパイプ構造物を提供することである。
本発明の次の目的は、最下段のベース棚部およびその上方に位置する複数段の棚部をそれぞれ水平に展開した使用状態においては、最下段のベース棚部の下が開放された収納空間となり、その収納空間へ台車やバケツ、椅子などの小物類を一時的に押し込んで簡易に収納させることができて使い勝手が良い、棚部を跳ね上げ可能なパイプ構造物を提供することである。
本発明の更なる目的は、パイプを継手により連結して組み立てたパイプ構造物であって、最下段のベース棚部を基礎として、その上方に必要な段数の棚部を次々に同じ構成の繰り返しとして構築し、棚としての物置台能力を必要十分に高められる、棚部を跳ね上げ可能なパイプ構造物を提供することである。
【課題を解決するための手段】
【０００６】
上記の課題を解決するための手段として、請求項１に記載した発明に係る棚部を跳ね上げ可能なパイプ構造物は、
パイプを継手により連結して組み立てられ、通路等の壁又は同壁を構成する縦部材へ背面支柱を固定して使用されるパイプ構造物であって、
背面に通路等の壁又は同壁を構成する縦部材へ固定される左右の背面支柱を備え、
前記左右の背面支柱はベース棚部の高さ位置を背面側梁材で連結され、この背面側梁材へ背面側端部を上下方向への回転が可能に連結して前方へほぼ水平に突き出されたベース棚部の腕部材と、前記左右の腕部材の前端部へ上下方向の回転が可能に取り付けられた左右の前面支柱と、前記左右の前面支柱の上端部間を連結した前面梁材とでベース棚部の骨組みが形成され、
前記背面支柱において前記ベース棚部より上方の上段棚部の高さ位置が背面側梁材で連結され、この背面側梁材に背面側端部を上下方向への回転が可能に連結され前方へほぼ水平に突き出された上段棚部の腕部材と、上段棚部の前記左右の腕部材の前端部と前記ベース棚部の対応する腕部材とをそれぞれ上下方向への回転が可能に連結した上段の前面支柱と、前記上段棚部の前面支柱の上端同士を連結した上段の前面梁材とで上段棚部の骨組みが形成されていることを特徴とする。
【０００７】
請求項２に記載した発明は、請求項１に記載した棚部を跳ね上げ可能なパイプ構造物において、
上段棚部の上に更に必要数の棚部が多段に、前記上段棚部の構成を順次に繰り返して設けられていること、
即ち、背面支柱において前記上段棚部より上方の次上段棚部の高さ位置が背面側梁材で連結され、この背面側梁材へ背面側端部が上下方向への回転が可能に連結して前方へほぼ水平に突き出された次上段棚部の腕部材と、前記次上段棚部の腕部材の前端部と前記上段棚部の対応する腕部材とをそれぞれ上下方向への回転が可能に連結した次上段棚部の前面支柱と、前記次上段棚部の前面支柱の上端同士を連結した次上段棚部の前面梁材とで次上段棚部の骨組みが形成されていることを特徴とする。
【０００８】
請求項３に記載した発明は、請求項１に記載した棚部を跳ね上げ可能なパイプ構造物において、
ベース棚部の前面支柱の下端部と、背面支柱の下端から前方へほぼ水平に突き出された補強用腕部材の前端とは中折れ型の回転継手で背面支柱に対し直交する配置に連結され、この補強用腕部材の背面側端部と背面支柱とは背面支柱の側面にピン軸で止めたＬ型の回転継手で同じく直交する配置に連結され、ベース棚部の腕部材および上段棚部の腕部材の前端部は前面支柱より内側に位置させた継手で前面梁部材へ直交する配置に連結され、同ベース棚部の腕部材および上段棚部の腕部材の背面側端部はそれぞれ左右の背面支柱間に連結した背面側梁材と同背面支柱より内側に位置させたＴ型の回転継手で直交する配置に連結されていることを特徴とする。
【０００９】
請求項４に記載した発明は、請求項１〜３のいずれか一に記載した棚部を跳ね上げ可能なパイプ構造物において、
跳ね上げられ折り畳まれたベース棚部と上段棚部および次上段棚部はそれぞれ、ベース棚部の前面支柱と背面支柱とを繋ぐロック部材により跳ね上げ状態を拘束されることを特徴とする。
【発明の効果】
【００１０】
本発明に係る棚部を跳ね上げ可能なパイプ構造物は、非使用時には最下段のベース棚部およびその上方に位置する上段棚部や複数の次上段棚部をそれぞれ簡単な操作で一連に、且つ一斉に跳ね上げて壁際に沿って平たく折り畳むことができ、且つその折り畳み状態をロック部材によりきっちり拘束、保持できるので、その前面を通行する人や荷物の邪魔にならず、通路などの空間の効率的利用に貢献する。
また、最下段のベース棚部およびその上方に位置する上段棚部や複数の次上段棚部をそれぞれ水平に展開した使用状態では、最下段のベース棚部を構成する左右の前面支柱と前面梁材とが∩形状に開放された収納空間を形成するので、この収納空間へ台車やバケツ、椅子などの小物類を一時的に押し込んで簡易に収納させることができ、使い勝手が良い。
更に本発明のパイプ構造物は、パイプを継手により連結して軽便に組み立てられ、最下段のベース棚部を基礎として、その上方に上段棚部および必要数の次上段棚部を同じ構成の繰り返しで構築でき、棚としての物置台能力を必要十分に高めることができる。
【発明を実施するための最良の形態】
【００１１】
パイプを継手により連結して組み立てられ、通路等の壁又は同壁を構成する縦部材へ背面支柱を固定して使用されるパイプ構造物として実施される。
このパイプ構造物は、背面に通路等の壁又は同壁を構成する縦部材へ固定される左右の背面支柱を備え、前記左右の背面支柱のベース棚部の高さ位置が背面側梁材で連結され、この背面側梁材へ背面側端部を上下方向への回転が可能に連結して前方へほぼ水平に突き出されたベース棚部の腕部材と、前記左右の腕部材の前端部へ上下方向の回転が可能に取り付けられた左右の前面支柱と、前記左右の前面支柱の上端部間を連結した前面梁材とでベース棚部の骨組みが形成されている。
そして、前記背面支柱において前記ベース棚部より上方の上段棚部の高さ位置が背面側梁材で連結され、この背面側梁材に背面側端部を上下方向への回転が可能に連結して前方へほぼ水平に突き出された上段棚部の腕部材と、上段棚部の前記左右の腕部材の前端部と前記ベース棚部の対応する腕部材とをそれぞれ上下方向への回転が可能に連結した上段の前面支柱と、前記上段棚部の前面支柱の上端同士を連結した上段の前面梁材とで上段棚部の骨組みが形成されている。
【００１２】
上段棚部の上に更に必要数の棚部が多段に、前記上段棚部の構成を順次に繰り返して設けられる。
即ち、背面支柱において前記上段棚部より上方の次上段棚部の高さ位置が背面側梁材で連結され、この背面側梁材へ背面側端部が上下方向への回転が可能に連結して前方へほぼ水平に突き出された次上段棚部の腕部材と、前記次上段棚部の腕部材の前端部と前記上段棚部の対応する腕部材とをそれぞれ上下方向への回転が可能に連結した次上段棚部の前面支柱と、前記次上段棚部の前面支柱の上端同士を連結した次上段棚部の前面梁材とで次上段棚部の骨組みが形成されている。
跳ね上げら折り畳まれたベース棚部と上段棚部および次上段棚部はそれぞれ、ベース棚部の前面支柱と背面支柱とを繋ぐロック部材により跳ね上げ状態が拘束される。
【実施例１】
【００１３】
以下、図面に示した実施例に基づいて、本発明に係る棚部を跳ね上げ可能なパイプ構造物を説明する。
先ず図１〜図４は、ベース棚部１０と上段棚部２０との二段で構成された、棚部を跳ね上げ可能なパイプ構造物の実施例を示している。もっとも、棚部の段数は二段の限りではなく、後述するように必要に応じて三段以上の多段に構成して実施することができる。
図示した実施例のパイプ構造物は、一例として薄肉鋼管の外周面にＡＡＳ樹脂等を薄く均一な層状に接着し被覆した、外径が２８ｍｍないし４２ｍｍ程度の樹脂被覆パイプを、鋼板のプレス加工品又はアルミニウムのダイキャスト製品等として製作された金属製の継手、いわゆるメタルジョイントにより連結して強固に組み立てたパイプ構造物であり、通路や室内等の床１上に立て、同通路の側壁又は同壁を構成する縦部材２へ固定具３により背面支柱４を固定した状態で使用される。背面支柱４を壁面へ固定する場合には、公知のサドル型固定具を使用し、ビス止めで固定される。
【００１４】
本実施例のパイプ構造物は、下記するように各棚部１０、２０を一連に跳ね上げ可能な折り畳み構造に構成されている。
先ず、このパイプ構造物の背面には、上記したように通路等の壁又は同壁を構成する縦部材２へ固定される左右の背面支柱４、４を基本材として備えている。
前記左右の背面支柱４、４は、その下端からベース棚部１０の高さに相当する位置が背面側梁材１４で連結され、この背面側梁材１４へ背面側端部を上下方向の回転が可能に連結して前方へほぼ水平に突き出されたベース棚部１０の腕部材１１と、前記左右の腕部材１１、１１の前端部へ上下方向の回転が可能に取り付けられた前面支柱１２と、および前記左右の前面支柱１２、１２の上端部間を連結した前面梁材１３とで、ベース棚部１０の主要骨格が形成されている。
【００１５】
上記腕部材１１の前端部と、前面支柱１２および前面梁材１３との具体的な連結構造の一例を図５に例示した。左右の前面支柱１２、１２の上端部間へ前面梁材１３が配置され、二つ割りの各分割片をボルト５ａで結合する構成の分割型Ｔジョイント５により前面梁材１３が連結されている。腕部材１１の前端は、前面梁材１３において、前面支柱１２へ接近した内側位置に、やはり二つ割りの分割片をボルト５ａで結合する構成の分割型Ｔジョイント５用い、且つ前面梁材１３を掴む内面には摺動性の良い樹脂ブッシュを介在させて直交する配置に連結され、もって腕部材１１の前端部は上下方向の回転が可能に構成されている。背面支柱４と背面側梁材１４との連結、および背面側梁材１４と腕部材１１の背面側端部とを上下方向の回転が可能に連結する構造も、具体的に図示することは省略したが、およそ図５に示した前面支柱１２と前面梁材１３との連結、および前面梁材１３と腕部材１１の前端部との連結構造とほぼ共通する構成で行われる。
なお、図３中に明解な符号１１’は、腕部材１１の下面に沿ってダブルパイプ構造に取り付けた補強パイプである。
【００１６】
上記のようにパイプを継手により連結して組み立てた腕部材１１と背面側梁材１４、および前面支柱１２と前面梁材１３とでベース棚部１０の骨組みが形成され、その上に棚板１０ａ（図３）を載置してベース棚部１０が構成されている。
なお、左右の背面支柱４、４の下端部近傍にも補強用としての背面側梁材１４が、図５及び図６に示した構成で連結されている。そして、この背面側梁材１４よりも下方の背面支柱下端部には、図６に示したように、背面支柱４の内側面へ軸ピン６ａで回転可能に止めたＬ型の回転継手６により、補強用腕部材１５の背面側端部は、背面支柱４と直交する配置に連結され、且つ折り畳み時に背面支柱４とは干渉を起こさない構成で、しかも上下方向の回転が可能に連結されている。この補強用腕部材１５は、上記の腕部材１１と平行に前方へほぼ水平に突き出す配置とされている。補強用腕部材１５の前端は、図７に示したように、中間位置を軸ピン７ａで上下方向への回転が可能に連結された、いわゆる中折れ型の回転継手７により前面支柱１２と直交する配置に連結されている。つまり、背面支柱４と補強用腕部材１５および前面支柱１２は同一の平面内配置され、跳ね上げ時には図２に示すように回転継手７と補強用腕部材１５は背面支柱４の真正面へ並立する構成とされている。しかも、ベース棚部１０の腕部材１１と補強用腕部材１５との有効長さの差寸で跳ね上げ（折り畳み）動作が不調になることを防止するため、回転継手６の軸ピン６ａは図６で明かなように、補強用腕部材１５の中心線の位置から上方へ変位した位置に止められて、前記差寸を補う構成とされている。
したがって、ベース棚部１０の骨組みを構成する腕部材１１と前面支柱２および補強用腕部材１５は、図３の側面方向に見た場合に、背面支柱４を固定部として、上方へいわゆる平行四辺形リンクと同様な動作で紙面と平行方向へ跳ね上げ可能で、順調に回転させられ折り畳むことができる。
【００１７】
次に、上記背面支柱４において、上記ベース棚部１０を構成する腕部材１１の取り付け位置より上方の上段棚部２０の高さ位置が、背面側梁材２４で連結され、この背面側梁材２４へ背面側端部を上下方向の回転が可能に取り付けた上段棚部２０の腕部材２１が、やはり前方へ上記ベース棚部１０の腕部材１１とほぼに平行に突き出されている。この腕部材２１の背面側端部を背面側梁材２４へ上下方向の回転が可能に取り付ける構造は、図示は省略したが、上記ベース棚部１０の腕部材１１の背面側端部を背面側梁材１４と連結する構造と同様に、背面側梁材２４を挟む内面に摺動性の良い樹脂ブッシュを介在させた分割型Ｔジョイントを用いて連結されている。ここでいう分割型Ｔジョイントは、上記図５に基づいて説明した分割型Ｔジョイント５を指す。
【００１８】
また、上段棚部２０の左右の腕部材２１、２１の前端部は、上記ベース棚部１０との関係で上下に対応する配置となる腕部材１１の中間部に立てた上段の前面支柱２２、２２間を左右に連結した上段の前面梁材２３へそれぞれ上下方向への回転が可能に連結されている。具体的には図８に示したように、上段の前面支柱２２の下端は、ベース棚部１０の腕部材１１の中間部位（但し、図示例の中央部位を意味しない。任意の途中位置で良い。）の外側面へ軸ピン８ａで止めた継手８で上下方向への回転が可能に連結され、上端は上段の前面梁材２３の端面部へ軸ピン８ａで止めた継手８により、それぞれ上下方向への回転が可能に連結されている。更にいうと、上段の前面梁材２３の端面部にはキャップが取り付けられ、同キャップの中心部へ軸ピン８ａが回転可能に接合されており、上段の前面梁材２３は軸ピン８ａを中心に回転する構成とされている。前記の構成を前提として、上段棚部２０の腕部材２１の前端部は、ボルト１６ａで一体的に結合する分割型のジョイント１６を用いて、前面梁材２３と強固に連結され、前面梁材２３と一体的関係で上下方向への回転が可能な構成とされている。
【００１９】
上記のように構成した前面支柱２２と、左右の腕部材２１、２１、および前面梁材２３並びに左右の背面支柱４、４間を連結した背面側梁材２４とで上段棚部２０の骨組みが形成され、その上に棚板２０ａ（図３）を載置して上段棚部２０が構築されている。したがって、この上段棚部２０の骨組みも、図３の側面方向に見た場合、下段のベース棚部１０と一連にリンクした関係で、背面支柱４を固定部として、上方へいわゆる平行四辺形リンクの如くに紙面と平行方向へ回転して折り畳むことができる。
上記のように跳ね上げて折り畳んだ状態を図２に示す。折り畳まれたベース棚部１０と上段棚部２０は、ベース棚部１０の前面支柱１２と背面支柱４とを繋ぐコ字形状のロック部材９により留め付けて跳ね上げ状態が安全にきっちり拘束される。したがって、このパイプ構造物が狭い通路や室内に設置されていても、非使用時には前記したように跳ね上げた状態に拘束することで人や荷物の通行を邪魔しない構成とされ便利である。
また、ベース棚部１０および上段棚部２０を図１のように展開した使用状態では、ベース棚部１０を構成する左右の前面支柱１２、１２と、その上端を連結した前面梁材１３とは下向きに開放された∩形状を呈して、腕部材１１の長さ相当の奥行きを持つ収納空間を形成するから、この収納空間へ台車の車台部を押し込んだり、バケツや小荷物等を押し込んで一時的に収納させることができ、至便である。
【００２０】
なお、図示することは省略したが、本発明によるパイプ構造物の構成は、上記したベース棚部１０と上段棚部２０の二段構造の限りではない。上段棚部２０の上に更に必要数の棚部を多段に、それも上段棚部２０の構成を順次に繰り返して多段に構成して実施することが出来る。
即ち、上記背面支柱４において上記上段棚部２０を構成する腕部材２１より上方の次上段棚部の高さ位置が背面側梁材で連結され、この背面側梁材へ背面側端部を上下方向への回転が可能に連結して前方へほぼ水平に突き出された次上段棚部の腕部材と、同腕部材の前端部と前記上段棚部の対応する腕部材とをそれぞれ上下方向への回転が可能に連結した次上段棚部の前面支柱と、前記次上段棚部の前面支柱の上端部同士を連結した次上段棚部の前面梁材とで次上段棚部の骨組みを形成する手法により、必要数の棚部を多段に構成して実施することが出来る。
【００２１】
以上に本発明を図示した実施例に基いて説明したが、もちろん、本発明の技術的思想は上記実施例の限りではない。本発明の要旨、技術的思想、目的を逸脱しない範囲で、当業者が通常行う設計変更ないし応用変形を含めて、多様に実施することができるものであることをここに念のため付言する。
【図面の簡単な説明】
【００２２】
【図１】本発明に係るパイプ構造物の実施例を骨組み構造で示した斜視図である。
【図２】同上のパイプ構造物を非使用時に折り畳んだ状態を示す斜視図である。
【図３】上記パイプ構造物の側面図である。
【図４】上記パイプ構造物の正面図である。
【図５】ベース棚部の前面支柱と腕部材及び前面梁材の連結構造を示した斜視図である。
【図６】背面支柱と補強用腕部材および背面側梁材の連結構造を示した斜視図である。
【図７】ベース棚部の前面支柱と補強用との連結構造を示した斜視図である。
【図８】上段棚部の前面支柱と前面梁材および腕部材並びにベース棚部の腕部材との連結構造を示した斜視図である。
【符号の説明】
【００２３】
２            縦部材
４            背面支柱
１０          べース棚部
１４、２４    背面側梁材
１１、２１    腕部材
１２、２２    前面支柱
１３、２３    前面梁材
２０          上段棚部
【図１】
2009225937.tif 000003
【図２】
2009225937.tif 000004
【図３】
2009225937.tif 000005
【図４】
2009225937.tif 000006
【図５】
2009225937.tif 000007
【図６】
2009225937.tif 000008
【図７】
2009225937.tif 000009
【図８】
2009225937.tif 000010